(57)【要約】【課題】未塗布部が集電端子に良好に溶接されており、電流遮断機構を決められたケース内圧で駆動させることができる密閉型電池を提供する。【解決手段】  密閉型電池は、電極体と、収容ケースと、集電端子３と、遮断機構と、を備え、集電端子３は、台座部４１と、台座部４１に接続された複数の脚部とを含み、脚部間にはスリットが形成されており、スリットは、脚部の間から台座部４１に達するように形成されており、露出部は、脚部の間に挿入された状態で脚部に溶接されており、収容ケースは、開口部が形成されたケース本体と、開口部を閉塞する蓋とを含み、遮断機構は、台座部４１に設けられると共に蓋に固定されたホルダ６０と、ホルダ６０と蓋との間に配置された反転板とを含み、ホルダ６０は、板状のホルダ６０本体と、ホルダ６０本体に設けられた突出部とを含み、突出部は、スリットのうち台座部４１に位置する部分に挿入されると共に台座部４１に係合する。【選択図】図１６
2018163844.tif 000002
【特許請求の範囲】
【請求項１】
電極体と、
前記電極体を収容する収容ケースと、
前記収容ケース内に収容されると共に、前記電極体に溶接された集電端子と、
電流遮断機構と、
を備え、
前記電極体は、集電体と、前記集電体に形成された電極合材層とを含み、
前記集電体には、前記電極合材層から露出する露出部が形成されており、
前記集電端子は、台座部と、前記台座部に接続された複数の脚部とを含み、
前記脚部間にはスリットが形成されており、
前記スリットは、前記脚部の間から前記台座部に達するように形成されており、
前記露出部は、前記脚部の間に挿入された状態で前記脚部に溶接されており、
前記収容ケースは、開口部が形成されたケース本体と、前記開口部を閉塞する蓋とを含み、
前記電流遮断機構は、前記台座部に設けられると共に前記蓋に固定されたホルダと、前記ホルダと前記蓋との間に配置された反転板とを含み、
前記ホルダは、板状のホルダ本体と、前記ホルダ本体に設けられた突出部とを含み、
前記突出部は、前記スリットのうち前記台座部に位置する部分に挿入されると共に前記台座部に係合する、密閉型電池。
【発明の詳細な説明】
【技術分野】
【０００１】
本開示は、密閉型電池に関する。
【背景技術】
【０００２】
従来から密閉型電池について各種提案されている。たとえば、特開平１０−１０６５３号公報に記載された密閉型電池は、電極体と、収容ケースと、正極集電端子と、負極集電端子とを備える。電極体の両端には、正極の未塗布部と、負極の未塗布部とが形成されている。正極集電端子は正極の未塗布部に溶接されており、負極集電端子は負極の未塗布部に溶接されている。
【０００３】
さらに、近年においては、集電端子と、未塗布部との溶接を良好に行うために、集電端子の構成について各種提案されている。
【０００４】
たとえば、特開２００７−２９９５３６号公報においては、複数のスリットが形成された集電端子と、このスリットに挿入された状態で集電端子に溶接された密閉型電池が提案されている。
【先行技術文献】
【特許文献】
【０００５】
【特許文献１】特開平１０−１０６５３号公報
【特許文献２】特開２００７−２９９５３６号公報
【発明の概要】
【発明が解決しようとする課題】
【０００６】
特開２００７−２９９５３６号公報に記載された密閉型電池を製造する際には、集電箔の未塗布部を束ねた状態で集電端子のスリットに挿入する必要がある。
【０００７】
この際、スリットの幅が狭い場合には、集電箔の未塗布部を良好にスリットに挿入することができない。
【０００８】
束ねた未塗布部をスリットに挿入し易くするためには、スリットの幅を広げることが考えられる。
【０００９】
しかし、スリット幅が広い状態で未塗布部と集電端子とをレーザ溶接しようとすると、スリットと未塗布部との隙間からレーザが抜けて、電極体に影響を与えるおそれがある。
【００１０】
上記の課題を解決するために、スリットに未塗布部を挿入した状態で、集電端子に外力を加えてスリット幅が狭くなるように変形させた後に、集電端子と未塗布部とを溶接する手法が考えられる。
【００１１】
電流遮断機構が集電端子に装着された密閉型電池において、上記の手法を適用したとすると、集電端子を変形させることにより、集電端子のうち電流遮断機構が配置された部分までも変形するおそれがある。その結果、電流遮断機構が駆動するケース内圧に影響を与えるおそれがある。
【００１２】
本開示は、上記のような課題に鑑みてなされたものであって、その目的は、未塗布部が集電端子に良好に溶接されており、電流遮断機構を決められたケース内圧で駆動させることができる密閉型電池を提供することである。
【課題を解決するための手段】
【００１３】
密閉型電池は、電極体と、電極体を収容する収容ケースと、収容ケース内に収容されると共に、電極体に溶接された集電端子と、電流遮断機構とを備える。上記電極体は、集電体と、集電体に形成された電極合材層とを含む。上記集電体には、電極合材層から露出する露出部が形成されている。集電端子は、台座部と、台座部に接続された複数の脚部とを含む。脚部間にはスリットが形成されており、スリットは、脚部の間から台座部に達するように形成されており、露出部は、脚部の間に挿入された状態で脚部に溶接されている。上記収容ケースは、開口部が形成されたケース本体と、開口部を閉塞する蓋とを含み、電流遮断機構は、台座部に設けられると共に蓋に固定されたホルダと、ホルダと蓋との間に配置された反転板とを含む。上記ホルダは、板状のホルダ本体と、ホルダ本体に設けられた突出部とを含み、突出部は、スリットのうち台座部に位置する部分に挿入されると共に台座部に係合する。
【発明の効果】
【００１４】
本開示に係る密閉型電池によれば、未塗布部が集電端子に良好に溶接されており、電流遮断機構を決められたケース内圧で駆動させることができる。
【図面の簡単な説明】
【００１５】
【図１】本実施の形態１に係る密閉型電池１を模式的に示す断面図である。
【図２】密閉型電池１を示す分解斜視図である。
【図３】図２に示すＩＩＩ−ＩＩＩ線における断面図である。
【図４】正極集電端子３を示す斜視図であり、正極集電端子３を下方から視たときの斜視図である。
【図５】正極集電端子３を下方から視たときの平面図である。
【図６】長孔４０Ｃおよびその周囲の構成を示す平面図である。
【図７】図５におけるＶＩＩ−ＶＩＩ線における断面図であり、単位ガイド部４５Ｃ１を示す断面図である。
【図８】単位ガイド部４５Ｃ１およびその周囲の構成を示す斜視図である。
【図９】正極遮断機構５およびその周囲の構成を示す断面図である。
【図１０】正極集電端子３、ホルダ６０、反転板６１、リベット６２およびその周囲の構成を示す分解斜視図である。
【図１１】係合突起７１Ａ１を示す模式図である。
【図１２】ホルダ６０および正極集電端子３を示す斜視図である。
【図１３】密閉型電池１の製造工程を示す工程フロー図である。
【図１４】第１組付工程Ｓ１を模式的に示す斜視図である。
【図１５】反転板６１を組み付ける工程を模式的に示す斜視図である。
【図１６】ホルダ６０を正極集電端子３に組み付ける工程を模式的に示す斜視図である。
【図１７】係合工程後における係合突起７１Ｃおよびその周囲の構成を示す断面図である。
【図１８】第３組付工程Ｓ４を模式的に示す斜視図である。
【図１９】溶接工程Ｓ５を模式的に示す斜視図である。
【図２０】電極体形成工程Ｓ６を模式的に示す斜視図である。
【図２１】集電箔挿入工程Ｓ７を模式的に示す斜視図である。
【図２２】正極集電端子３の各スリット３７Ａ，３７Ｂ，３７Ｃに束３０を挿入した状態を示す断面図である。
【図２３】変形工程Ｓ８を示す斜視図である。
【図２４】変形工程Ｓ８における正極集電端子３およびその周囲の構成を示す断面図である。
【図２５】変形工程Ｓ８における正極集電端子３を示す斜視図である。
【図２６】溶接工程Ｓ９における正極集電端子３およびその周囲の構成を示す断面図である。
【図２７】封缶工程Ｓ１０を模式的に示す斜視図である。
【図２８】係合突起７１の第１変形例を示す模式図である。
【図２９】係合突起７１の第２変形例を示す模式図である。
【図３０】比較例１に係る密閉型電池１Ａの正極集電端子１００と、ホルダ１０１とを示す分解斜視図である。
【発明を実施するための形態】
【００１６】
図１は、本実施の形態１に係る密閉型電池１を模式的に示す断面図である。図２は、密閉型電池１を示す分解斜視図である。
【００１７】
密閉型電池１は、収容ケース２と、正極集電端子３と、負極集電端子４と、正極遮断機構５と、負極遮断機構６と、正極外部端子７と、負極外部端子８と、電極体９と、電解液Ａとを含む。
【００１８】
収容ケース２内には、電解液Ａと、電極体９と、負極外部端子８と、正極外部端子７と、正極遮断機構５と、負極集電端子４とが配置されている。
【００１９】
収容ケース２は、ケース本体１０と、蓋１１とを含む。
蓋１１は、平面視すると、長方形形状に形成されている。蓋１１の一端側には貫通孔が形成されており、この貫通孔に筒部１２が挿入されている。蓋１１の他端側にも貫通孔が形成されており、この貫通孔に筒部１３が挿入されている。各筒部１２，１３には、貫通孔１２ａ，１３ａが形成されている。
【００２０】
蓋１１には、注入口１４ａが形成されており、この注入口１４ａには、封止部材１４が挿入されている。封止部材１４は、電解液Ａに耐性を有ると共に、耐熱性を有する樹脂で形成されている。
【００２１】
正極外部端子７および負極外部端子８は、蓋１１の上面に配置されている。正極外部端子７は貫通孔１２ａを覆うように配置されており、負極外部端子８は貫通孔１３ａを覆うように配置されている。
【００２２】
正極外部端子７は、絶縁部材２６と、金属板２７とを含む。絶縁部材２６は、蓋１１の上面に配置されている。絶縁部材２６には貫通孔２６ａが形成されている。
【００２３】
金属板２７は、絶縁部材２６の上面に配置されている。金属板２７には、貫通孔２７ａが形成されている。貫通孔２６ａと貫通孔２７ａとは、互いに連通している。
【００２４】
負極外部端子８も、正極外部端子７と同様に形成されている。負極外部端子８は、絶縁部材２８と、金属板２９とを含む。絶縁部材２８は、蓋１１の上面に配置されており、金属板２９は絶縁部材２８の上面に配置されている。
【００２５】
電極体９は、直方体形状に形成されている。正極集電端子３および負極集電端子４は、電極体９の側面に配置されている。正極遮断機構５は、蓋１１の下面と、正極集電端子３との間に配置されている。負極遮断機構６は、蓋１１の下面と、負極集電端子４との間に配置されている。
【００２６】
電極体９は、直方体形状に形成されている。電極体９は、上面２０と、底面２１と、主側面２２と、主側面２３と、端側面２４と、端側面２５とを含む。
【００２７】
電極体９は、複数の正極１５と、複数の負極１６と、複数のセパレータ１７とを含む。複数の正極１５と、複数の負極１６と、複数のセパレータ１７とは、正極１５と、負極１６と、セパレータ１７との順番となるように順次積層されている。
【００２８】
正極１５は、純アルミニウムまたはアルミニウム合金などから形成された金属箔と、この金属箔の表裏面に形成された正極合材層とを含む。金属箔は、たとえば、方形形状に形成されている。金属箔には、正極未塗布部１８が形成されている。正極未塗布部１８は、金属箔の一辺に沿って形成されている。
【００２９】
正極未塗布部１８は、金属箔のうち、正極合材層が形成されていない部分であり、金属箔が正極合材層から露出している部分である。
【００３０】
負極１６は、純銅または銅合金から形成された金属箔と、この金属箔の表裏面に形成された負極合材層とを含む。金属箔は、たとえば、方形形状に形成されている。金属箔には、負極未塗布部１９が形成されている。負極未塗布部１９は、金属箔の一辺に沿って形成されている。負極未塗布部１９は、金属箔のうち、負極合材層が形成されていない部分であり、金属箔が負極合材層から露出している部分である。
【００３１】
複数の正極未塗布部１８が電極体９の端側面２４に配置されている。複数の正極未塗布部１８は、電極体９の厚さ方向（主側面２２から主側面２３に向かう方向）に間隔をあけて配置されている。
【００３２】
図３は、図２に示すＩＩＩ−ＩＩＩ線における断面図である。端側面２４には複数の束３０が形成されており、端側面２５には複数の束３１が形成されている。
【００３３】
束３０は、複数の正極未塗布部１８によって形成されており、各正極未塗布部１８の先端部がより集められるように形成されている。束３１は、複数の負極未塗布部１９によって形成されており、各負極未塗布部１９の先端部がより集められるように形成されている。
【００３４】
この図３に示す例においては、束３０は電極体９の厚さ方向に３つ形成されており、束３１は電極体９の厚さ方向に３つ形成されている。各束３０の先端部と、正極集電端子３とは、溶接部３２によって溶接されている。各束３１の先端部と、負極集電端子４とは、溶接部３２によって溶接されている。
【００３５】
図２において、正極集電端子３は、台座部３５と、複数の脚部３６とを含む。台座部３５は、電極体９の上面２０側に配置されている。複数の脚部３６は、端側面２４側に配置されている。
【００３６】
図４は、正極集電端子３を示す斜視図であり、正極集電端子３を下方から視たときの斜視図である。
【００３７】
台座部３５は板状に形成されており、台座部３５は多角形形状に形成されている。脚部３６Ａ，３６Ｂ，３６Ｃ，３６Ｄは、台座部３５の一辺（一側面）に接続されており、当該一辺から下方に向けて延びるように形成されている。
【００３８】
各脚部３６Ａ，３６Ｂ，３６Ｃ，３６Ｄの下端部には先細部が形成されている。各脚部３６Ａ，３６Ｂ，３６Ｃ，３６Ｄの先細部は、下方に向かうにつれて幅が狭くなるように形成されている。
【００３９】
脚部３６Ａと脚部３６Ｂとの間にはスリット３７Ａが形成されている。脚部３６Ｂと脚部３６Ｃとの間にはスリット３７Ｂが形成されている。脚部３６Ｃと脚部３６Ｄとの間には、スリット３７Ｃが形成されている。
【００４０】
各脚部３６Ａ，３６Ｂ，３６Ｃ，３６Ｄには先細部が形成されているので、各スリット３７Ａ，３７Ｂ，３７Ｃの下端部側の幅は、下方に向かうにつれて大きくなる。
【００４１】
そして、各スリット３７Ａ，３７Ｂ，３７Ｃには、図２に示す束３０が挟み込まれており、溶接部３２によって、束３０が脚部３６に溶接されている。図５は、正極集電端子３を下方から視たときの平面図である。台座部３５は、板状の台座本体４１と、複数のガイド部材４２とを含む。台座本体４１には、長孔４０Ａ，４０Ｂ，４０Ｃと、凹部４３ａと、薄肉部４３とが形成されている。
【００４２】
台座本体４１は、略方形形状に形成されている。薄肉部４３は、台座本体４１の中央部に形成されており、薄肉部４３は、凹部４３ａの底部に形成されている。薄肉部４３の厚さは、他の部分よりも薄くなるように形成されている。
【００４３】
長孔４０Ａ，４０Ｃは、台座本体４１の側辺から間隔をあけて形成されている。長孔４０Ｂは、長孔４０Ａ，４０Ｃの間に形成されている。
【００４４】
長孔４０Ａと、台座本体４１の一方の側辺との間には、片部５５Ａが形成されている。長孔４０Ｃと、台座本体４１の他方の側辺との間には、片部５５Ｄが形成されている。長孔４０Ａと長孔４０Ｂとの間には片部５５Ｂが形成されており、長孔４０Ｂと長孔４０Ｃとの間には、片部５５Ｃが形成されている。
【００４５】
図４に示すように、スリット３７Ａは長孔４０Ａに連通しており、スリット３７Ａおよび長孔４０Ａによって形成されるスリットは、脚部３６Ａおよび脚部３６Ｂの間を通り、台座部３５に達するように形成されている。このため、片部５５Ａおよび脚部３６Ａとは互いに連結しており、片部５５Ａおよび脚部３６Ａによって長片５６Ａが形成されている。
【００４６】
スリット３７Ｂは、長孔４０Ｂに連通しており、スリット３７Ｂおよび長孔４０Ｂによって形成されるスリットは、脚部３６Ｂおよび脚部３６Ｃの間を通り、台座部３５に達するように形成されている。このため、片部５５Ｂと脚部３６Ｂとは連結しており、片部５５Ｂおよび脚部３６Ｂによって、長片５６Ｂが形成されている。
【００４７】
また、スリット３７Ｃは、長孔４０Ｃに連通しており、スリット３７Ｃおよび長孔４０Ｃによって形成されるスリットは、脚部３６Ｃおよび脚部３６Ｄの間を通り、台座部３５に達するように形成されている。このため、片部５５Ｃと脚部３６Ｃとは連結しており、片部５５Ｃおよび脚部３６Ｃによって、長片５６Ｃが形成されている。片部５５Ｄおよび脚部３６Ｄは連結しており、片部５５Ｄおよび脚部３６Ｄによって長片５６Ｄが形成されている。
【００４８】
図６は、長孔４０Ｃおよびその周囲の構成を示す平面図である。長孔４０Ｃは、単位長孔４４Ｃ１と、接続孔４４Ｃ２と、単位長孔４４Ｃ３とを含む。
【００４９】
単位長孔４４Ｃ１は、スリット３７Ｃと連通している。接続孔４４Ｃ２は、単位長孔４４Ｃ１および単位長孔４４Ｃ３の間に形成されており、単位長孔４４Ｃ１および単位長孔４４Ｃ３を互いに連通させている。
【００５０】
ガイド部材４２Ｃ１は、単位長孔４４Ｃ１内に配置されている。ガイド部材４２Ｃ２、単位長孔４４Ｃ３内に配置されている。
【００５１】
ガイド部材４２Ｃ１は、単位長孔４４Ｃ１のうち、接続孔４４Ｃ２側に配置されている。このため、単位長孔４４Ｃ１の内表面と、ガイド部材４２Ｃ１との間には、挿入孔４７Ｃ１が形成されている。ガイド部材４２Ｃ１は、単位ガイド部４５Ｃ１および単位ガイド部４６Ｃ１とを含む。単位ガイド部４５Ｃ１および単位ガイド部４６Ｃ１とは、互いに間隔をあけて配置されており、単位ガイド部４５Ｃ１および単位ガイド部４６Ｃ１の間に、ガイド孔４８Ｃ１が形成されている。ガイド孔４８Ｃ１は、挿入孔４７Ｃ１と連通している。単位ガイド部４５Ｃ１と単位ガイド部４６Ｃ１とは略同じように形成されている。
【００５２】
図７は、図５におけるＶＩＩ−ＶＩＩ線における断面図であり、単位ガイド部４５Ｃ１を示す断面図である。図８は、単位ガイド部４５Ｃ１およびその周囲の構成を示す斜視図である。
【００５３】
単位ガイド部４５Ｃ１は、平坦部５０と、突起部５１と、平坦部５２とを含む。平坦部５０は、挿入孔４７Ｃ１側に形成されている。平坦部５０の下面は、平坦面状に形成されている。突起部５１は、平坦部５０および平坦部５２の間に形成されている。突起部５１は、下方に向けて突出するように形成されている。突起部５１の下面は、傾斜面状に形成されている。平坦部５２の最下端部は、平坦部５０，５２の下面よりも下方に位置している。
【００５４】
図５において、長孔４０Ｂは、単位長孔４４Ｂ１と、接続孔４４Ｂ２とを含む。接続孔４４Ｂ２は、単位長孔４４Ｂ１に接続されており、単位長孔４４Ｂ１から台座本体４１の中央に向けて延びるように形成されている。長孔４０Ｂ内にガイド部材４２Ｂが配置されており、ガイド部材４２Ｂによって、ガイド孔４８Ｂが形成されている。ガイド孔４８Ｂと、スリット３７Ｂとは連通している。
【００５５】
長孔４０Ａは、単位長孔４４Ａ１と、接続孔４４Ａ２と、単位長孔４４Ａ３とを含む。単位長孔４４Ａ１は、スリット３７Ａと連通している。接続孔４４Ａ２は、単位長孔４４Ａ１と接続孔４４Ａ２との間に形成されており、単位長孔４４Ａ１と単位長孔４４Ａ３とを連通している。
【００５６】
ガイド部材４２Ａ１は単位長孔４４Ａ１内に配置されており、ガイド部材４２Ａ２は、単位長孔４４Ａ３内に配置されている。
【００５７】
単位長孔４４Ａ１の内表面と、ガイド部材４２Ａ１との間には、挿入孔４７Ａ１が形成されている。接続孔４４Ａ２の内表面と、ガイド部材４２Ａ２との間には、挿入孔４７Ａ２が形成されている。挿入孔４７Ａ１はスリット３７Ａと連通しており、挿入孔４７Ａ２は接続孔４４Ａ２と連通している。
【００５８】
なお、図４に示すように、長孔４０Ｂと、ガイド部材４２Ｂとの間にも、挿入孔４７Ｂが形成されている。
【００５９】
挿入孔４７Ａ１と、挿入孔４７Ｂと、挿入孔４７Ｂ１とは、台座本体４１の外周縁部から下方に向けて延びるように形成されている。
【００６０】
図２において、負極集電端子４は、正極集電端子３と同様に形成されている。
正極遮断機構５は、ホルダ６０と、反転板６１と、リベット６２と、ガスケット６３とを含む。
【００６１】
図９は、正極遮断機構５およびその周囲の構成を示す断面図である。図９および図２において、ホルダ６０は、正極集電端子３の台座部３５上に配置されている。ホルダ６０は、絶縁材料によって形成されている。ホルダ６０の構成材料は、たとえば、ＰＰ（ポリプロピレン (polypropylene)）、ＰＦＡ（パーフルオロアルコキシアルカン）、またはＰＴＦＥ（ポリテトラフルオロエチレン）などである。
【００６２】
反転板６１は、ホルダ６０の上面上に配置されている。反転板６１は、金属などの導電性材料によって形成されている。
【００６３】
リベット６２は、導電性の金属材料によって形成されている。リベット６２は、土台６５と、軸６６と、ヘッド６７とを含む。土台６５は、板状に形成されている。軸６６は、土台６５の上面から上方に突出するように形成されている。ヘッド６７は、軸６６の上端部に形成されている。ガスケット６３は、絶縁材料によって形成されている。ガスケット６３の中央部には、貫通孔６３ａが形成されている。
【００６４】
リベット６２の軸６６は、ガスケット６３の貫通孔６３ａと、筒部１２の貫通孔１２ａと、絶縁部材２６の貫通孔２６ａと、金属板２７の貫通孔２７ａとを通る。ヘッド６７は、金属板２７の上面上に配置されている。
【００６５】
これにより、正極外部端子７と、ガスケット６３と、蓋１１とは、リベット６２によって、一体的に固定される。
【００６６】
ホルダ６０には貫通孔６０ａが形成されている。反転板６１の一部が貫通孔６０ａ内に入り込み、溶接部６４によって反転板６１の一部は、溶接部６４によって正極集電端子３の薄肉部４３に溶接されている。
【００６７】
図１０は、正極集電端子３、ホルダ６０、反転板６１、リベット６２およびその周囲の構成を示す分解斜視図である。
【００６８】
ホルダ６０は、ホルダ本体７０と、ホルダ本体７０の下面に形成された複数の係合突起７１（７１Ａ１，７１Ａ２，７１Ｂ，７１Ｃ１，７１Ｃ２）とを含む。貫通孔６０ａは、ホルダ本体７０の中央部に形成されている。
【００６９】
反転板６１は、円形形状に形成されている。リベット６２の土台６５の下面には、凹部６５ａが形成されている。
【００７０】
反転板６１は、土台６５の凹部６５ａ内に嵌め込まれている。反転板６１の外周縁部は、土台６５に溶接されている。
【００７１】
図１１は、係合突起７１Ａ１を示す模式図である。係合突起７１Ａは、軸部７２と下端片７３を含む。他の係合突起７１Ａ２，７１Ｂ，７１Ｃ１，７１Ｃ２も係合突起７１Ａ１と同様に形成されている。
【００７２】
そして、ホルダ６０は、各係合突起７１Ａ１，７１Ａ２，７１Ｂ，７１Ｃ１，７１Ｃ２が台座本体４１と係合している。
【００７３】
図１２は、ホルダ６０および正極集電端子３を示す斜視図である。ホルダ６０に形成された貫通孔６０ａによって、台座本体４１に形成された薄肉部４３が露出している。そして、ホルダ６０の上方に位置する反転板６１と、薄肉部４３とが溶接されている。
【００７４】
ホルダ６０は、ホルダ本体７０の上面に形成された複数の係合爪７４を含む。この複数の係合爪７４は、図１０に示すリベット６２の土台６５の外周縁部と係合している。
【００７５】
図１０において、正極集電端子３と、ホルダ６０とは、複数の係合突起７１によって係合している。そして、反転板６１の外周縁部が土台６５に溶接されており、ホルダ６０が土台６５の外周縁部に係合している。
【００７６】
図９において、電極体９の正極未塗布部１８は、正極集電端子３と、溶接部６４と、反転板６１と、リベット６２とを通して、正極外部端子７の金属板２７に電気的に接続されている。
【００７７】
上述のように、正極遮断機構５の構成について説明したが、図２に示す負極遮断機構６も正極遮断機構５と同様に形成されている。
【００７８】
負極遮断機構６は、反転板８１と、リベット８２と、ガスケット８３とを含む。負極集電端子４の台座部上には、ホルダ８０が配置されている。反転板８１は、ホルダ８０の上面上に配置されている。リベット８２は、反転板８１の上面に配置されている。ガスケット８３は、蓋１１の下面に配置されている。負極未塗布部１９は、負極集電端子４と、反転板８１と、リベット８２とを通して、負極外部端子８に電気的に接続されている。
【００７９】
上記のように構成された密閉型電池１において、収容ケース２内の内圧が上昇する場合がある。収容ケース２内の内圧が上昇する場合としては、たとえば、過充電時である。
【００８０】
収容ケース２内の内圧が所定圧以上、たとえば、０．７Ｍｐａ以上となると、図９において、薄肉部４３が破断する。薄肉部４３が破断すると、反転板６１は収容ケース２内の内圧を受けて、上方に向けて反転する。反転板６１が上方に向けて反転変形すると、反転板６１と、正極集電端子３との電気的な接続が遮断される。これにより、正極外部端子７と、正極未塗布部１８との電気的な接続が遮断される。なお、負極遮断機構６においても、正極遮断機構５と同様に作動する。
【００８１】
上記のように構成された密閉型電池１の製造方法について説明する。
図１３は、密閉型電池１の製造工程を示す工程フロー図である。密閉型電池１を製造する製造工程は、第１組付工程Ｓ１と、反転板取付工程Ｓ２と、第２組付工程Ｓ３と、第３組付工程Ｓ４と、溶接工程Ｓ５と、電極体形成工程Ｓ６と、集電箔挿入工程Ｓ７と、変形工程Ｓ８と、溶接工程Ｓ９と、封缶工程Ｓ１０と、注入工程Ｓ１１とを含む。
【００８２】
第１組付工程Ｓ１は、蓋１１に正極外部端子７および負極外部端子８を組み付ける工程である。
【００８３】
図１４は、第１組付工程Ｓ１を模式的に示す斜視図である。第１組付工程Ｓ１は、第１配置工程と、第２配置工程と、カシメ工程とを含む。
【００８４】
第１配置工程においては、正極外部端子７および負極外部端子８を蓋１１の上面に配置する。第２配置工程では、ガスケット６３，８３を蓋１１の下面に配置する。
【００８５】
カシメ工程では、リベット６２のカシメ工程と、リベット８２のカシメ工程とを含む。リベット６２のカシメ工程では、リベット６２の軸６６をガスケット６３の貫通孔６３ａと、筒部１２の貫通孔１２ａと、絶縁部材２６の貫通孔２６ａと、金属板２７の貫通孔２７ａに挿入する。
【００８６】
そして、金属板２７の上面から突出する軸６６の上端部を変形させて、ヘッド６７を形成する。これにより、正極外部端子７と、蓋１１と、ガスケット６３と、リベット６２とが一体的に固定される。リベット８２のカシメ工程は、リベット６２のカシメ工程と実質的に同じである。
【００８７】
反転板取付工程Ｓ２は、反転板６１を組み付ける工程と、反転板８１を溶接する工程とを含む。
【００８８】
図１５は、反転板６１を組み付ける工程を模式的に示す斜視図である。反転板６１を組み付ける工程は、反転板６１をリベット６２の土台６５の凹部６５ａに配置する工程と、反転板６１の外周縁部を土台６５に溶接する工程とを含む。反転板８１を組み付ける工程は、反転板６１を組み付ける工程と実質的に同じである。
【００８９】
第２組付工程Ｓ３は、ホルダ６０を正極集電端子３に組み付ける工程と、ホルダ８０を負極集電端子４に組み付ける工程とを含む。
【００９０】
図１６は、ホルダ６０を正極集電端子３に組み付ける工程を模式的に示す斜視図である。ホルダ６０を正極集電端子３に組み付ける工程は、係合突起７１を台座本体４１に形成された挿入孔に挿入する挿入工程と、ホルダ６０をスライド移動させる移動工程と、係合突起７１をホルダ６０に係合させる係合工程とを含む。
【００９１】
挿入工程においては、係合突起７１Ａ１，７１Ａ２，７１Ｂ，７１Ｃ１，７１Ｃ２を挿入孔４７Ａ１，４７Ａ２，４７Ｂ１，４７Ｃ１，４７Ｃ２に挿入する。
【００９２】
移動工程においては、係合突起７１Ａ１，７１Ａ２，７１Ｂ，７１Ｃ１，７１Ｃ２を挿入孔４７Ａ１，４７Ａ２，４７Ｂ１，４７Ｃ１，４７Ｃ２に挿入した状態でホルダ６０をスライド移動させる。
【００９３】
この際、係合突起７１Ａ１，７１Ａ２，７１Ｂ，７１Ｃ１，７１Ｃ２の軸部７２がガイド孔４８Ａ１，４８Ａ２，４８Ｂ，４８Ｃ１，４８Ｃ２を通る。
【００９４】
図１７は、係合工程後における係合突起７１Ｃおよびその周囲の構成を示す断面図である。係合工程においては、係合突起７１Ｃ１は、突起部５１を乗り越えて、平坦部５２に配置される。突起部５１は、平坦部５２よりも下方に突出しているため、係合突起７１Ｃが平坦部５２から突起部５１側に抜けることが抑制されている。
【００９５】
平坦部５２は、平坦部５０よりも下方に位置しているため、係合突起７１Ｃ１の軸部７２は延びるように弾性変形している。このため、下端片７３は、平坦部５２に押圧されている。このように、係合突起７１Ｃ１がホルダ６０と係合する。
【００９６】
なお、他の係合突起７１Ａ１，７１Ａ２，７１Ｂ，７１Ｃ２においても、係合突起７１Ｃ１と同様にホルダ６０と係合する。
【００９７】
図１８は、第３組付工程Ｓ４を模式的に示す斜視図である。第３組付工程Ｓ４は、正極集電端子３に組み付けられたホルダ６０を、蓋１１に組み付けられたリベット６２の土台６５に組み付ける工程である。具体的には、ホルダ６０の複数の係合爪７４をリベット６２の土台６５に係合させる。これにより、ホルダ６０が土台６５に組み付けられる。反転板６１は、土台６５に既に溶接されている。
【００９８】
ホルダ６０の貫通孔６０ａから台座本体４１に形成された薄肉部４３が露出しており、ホルダ６０が土台６５に組み付けられると、反転板６１の下端部と薄肉部４３が接触する。
【００９９】
図１９は、溶接工程Ｓ５を模式的に示す斜視図である。薄肉部４３の下面側から薄肉部４３と、反転板６１の下端部とを溶接する。これにより、薄肉部４３の下面側に、溶接部８５が形成される。なお、溶接部８５は環状に形成されている。
【０１００】
図２０は、電極体形成工程Ｓ６を模式的に示す斜視図である。電極体形成工程Ｓ６は、正極１５を形成する工程と、セパレータ１７を形成する工程と、負極１６を形成する工程と、積層工程とを含む。
【０１０１】
正極１５を形成する工程は、アルミニウムなどの金属シートを準備する工程と、金属シートの表裏面に正極合材層９１を形成する工程と、所定の長さで金属シートを切断する切断工程とを含む。
【０１０２】
セパレータを形成する工程は、セパレータシートを準備する工程と、セパレータシートを所定の大きさに切断する工程とを含む。
【０１０３】
負極１６を形成する工程は、銅などの金属シートを準備する工程と、金属シートの表裏面に負極合材層９２を形成する工程と、所定の長さで金属シートを切断する切断工程とを含む。
【０１０４】
積層工程では、負極１６と、セパレータ１７と、正極１５とを順次積層する。この際、正極１５の正極未塗布部１８が電極体９の端側面２４から突出すると共に、負極１６の１９が電極体９の端側面２５から突出するように配置する。
【０１０５】
このようにして、電極体９が形成される。
図２１は、集電箔挿入工程Ｓ７を模式的に示す斜視図である。
【０１０６】
集電箔挿入工程Ｓ７は、束３０，３１を形成する工程と、正極集電端子３のスリットに束３０を挿入する工程と、負極集電端子４のスリットに束３１を挿入する工程とを含む。
【０１０７】
束３０を形成する工程は、複数の正極未塗布部１８をより集めて束３０を形成する工程である。束３１を形成する工程は、複数の負極未塗布部１９をより集めて束３１を形成する工程である。正極集電端子３の各スリット３７Ａ，３７Ｂ，３７Ｃに束３０の先端部を挿入する。
【０１０８】
図２２は、正極集電端子３の各スリット３７Ａ，３７Ｂ，３７Ｃに束３０を挿入した状態を示す断面図である。束３０の先端部は、各スリット３７Ａ，３７Ｂ，３７Ｃから突出している。同様に、負極遮断機構６の各スリットに束３１の先端部を挿入する。
【０１０９】
図２３は、変形工程Ｓ８を示す斜視図である。変形工程Ｓ８は、正極集電端子３の各脚部を変形させて、各スリットの間隔を狭める工程と、負極集電端子４の各脚部を変形するさせて各スリットの間隔を狭める工程とを含む。
【０１１０】
図２４は、変形工程Ｓ８における正極集電端子３およびその周囲の構成を示す断面図である。正極集電端子３の両側から外力Ｐ１を加えて、各スリット３７Ａ，３７Ｂ，３７Ｃの幅を狭めるように、脚部３６Ａ，３６Ｂ，３６Ｃ，３６Ｄを変形させる。なお、負極集電端子４にも同様に、外力Ｐ２を加える。外力Ｐ１，Ｐ２は、たとえば、４００Ｎである。
【０１１１】
図２５は、変形工程Ｓ８における正極集電端子３を示す斜視図である。外力Ｐ１は、脚部３６Ｄと、脚部３６Ａとに加えられる。
【０１１２】
脚部３６Ａは長片５６Ａの一部であり、脚部３６Ａに外力Ｐ１が加えられると、長片５６Ａが撓むように変形する。長片５６の長さは、脚部３６Ａの長さと、片部５５Ａの長さとの合計長さであり、長片５６の長さは長い。長片５６の長さが長いため、小さな外力Ｐ１で脚部３６Ａを変形させて、スリット３７Ａの幅を狭くすることができる。その結果、外力Ｐ１によって台座本体４１に生じる変形を小さく抑えることができる。
【０１１３】
同様に、脚部３６Ｄも長片５６Ｄの一部であり、脚部３６Ｄに外力Ｐ１が加えられると、長片５６Ｄが撓むように変形する。長片５６Ｄの長さも長いため、小さな外力Ｐ１でスリット３７Ｃの幅を狭くすることができる。
【０１１４】
脚部３６Ａおよび脚部３６Ｄに外力Ｐ１が加えられると、脚部３６Ｂおよび脚部３６Ｃにも間接的に荷重が加えられる。
【０１１５】
脚部３６Ｂは、長尺な長片５６Ｂの一部であり、脚部３６Ｃも長尺な長片５６Ｃの一部である。そのため、長片５６Ｂ，５６Ｃは、小さな荷重で変形しやすく、スリット３７Ｃの幅を狭めるための荷重を小さく抑えることができる。
【０１１６】
このように、スリット３７Ａ，３７Ｂ，３７Ｃの幅を狭めるために必要な外力Ｐ１を小さく抑えることができるので、台座本体４１に生じる変形量を小さく抑えることができる。
【０１１７】
その結果、台座本体４１の上面に形成された正極遮断機構５に影響を与えることを抑制することができる。具体的には、予め設定された収容ケース２内の内圧で、正極遮断機構５を駆動させて、正極未塗布部１８と、正極外部端子７との電気的接続を遮断することができる。
【０１１８】
負極集電端子４も正極集電端子３と同様に形成されている。このため、負極集電端子４に形成されたスリットの幅を狭めるために必要な外力Ｐ２を小さく抑えることができる。その結果、負極集電端子４上に形成された負極遮断機構６の駆動圧が変動することを抑制することができる。
【０１１９】
溶接工程Ｓ９は、上記変形工程Ｓ８後に、正極集電端子３の各スリットから突出した束３０の先端部と、脚部３６Ａ，３６Ｂ，３６Ｃ，３６Ｄとを溶接する。
【０１２０】
同様に、負極集電端子４の各スリットから突出した束３１の先端部と、負極集電端子４の各脚部とを溶接する。
【０１２１】
図２６は、溶接工程Ｓ９における正極集電端子３およびその周囲の構成を示す断面図である。この図２６に示すように、束３０のうち、スリット３７Ｃから突出する束３０の先端部にレーザ光９５を照射する。この際、スリット３７Ｃの幅は狭められているため、レーザ光９５が、スリット３７Ｃを通りぬけることが抑制されている。
【０１２２】
さらに、破断した束３０の先端部と束３０の溶融部とがスリット３７Ｃを通り抜けることを抑制することができる。これにより、電極体９に金属片や金属溶融部が付着することを抑制することができる。
【０１２３】
このように、正極集電端子３および負極集電端子４と、束３０および束３１とを溶接すると、正極未塗布部１８および負極未塗布部１９と、正極集電端子３および負極集電端子４とが、構造的および電気的に接続される。
【０１２４】
これにより、電極体９と、正極集電端子３と、負極集電端子４と、正極遮断機構５と、負極遮断機構６と、蓋１１と、正極外部端子７と、負極外部端子８とが接続されたモジュール２００が形成される。
【０１２５】
図２７は、封缶工程Ｓ１０を模式的に示す斜視図である。封缶工程Ｓ１０は、モジュール２００の挿入工程と、蓋１１の溶接工程とを含む。
【０１２６】
モジュール２００の挿入工程は、モジュール２００の電極体９、正極集電端子３、負極集電端子４、正極遮断機構５および負極遮断機構６をケース本体１０内に挿入する工程である。この挿入工程によって、蓋１１は、ケース本体１０の開口部を閉塞するように配置される。
【０１２７】
蓋１１の溶接工程は、蓋１１の外周縁部と、ケース本体１０の開口縁部とを溶接する工程である。これにより、収容ケース２が形成され、電極体９などが収容ケース２内に収容される。なお、蓋１１の溶接方法としては、たとえば、レーザ溶接などのを採用することができる。
【０１２８】
なお、蓋１１には、封止部材１４は設けられておらず、注入口１４ａが蓋１１の上面で開口している。
【０１２９】
次に、注入工程Ｓ１１において、注入口１４ａから電解液Ａを収容ケース２内に供給する。その後、封止部材１４を注入口１４ａに形成することで、図１などに示す密閉型電池１を製造することができる。
【０１３０】
本実施の形態１においては、台座本体４１に形成された長孔４０Ａ，４０Ｂ，４０Ｃと、各脚部３６Ａ，３６Ｂ，３６Ｃ，３６Ｄ間に形成されたスリット３７Ａ，３７Ｂ，３７Ｃが連通しており、正極遮断機構５のホルダ６０には、長孔４０Ａ，４０Ｂ，４０Ｃに挿入される係合突起７１Ａ１，７１Ａ２，７１Ｂ，７１Ｃ１，７１Ｃ２を含む。
【０１３１】
そして、係合突起７１Ａ１，７１Ａ２，７１Ｂ，７１Ｃ１，７１Ｃ２が台座本体４１と係合し、正極遮断機構５のホルダ６０が、台座本体４１に固定される。各スリット３７Ａ，３７Ｂ，３７Ｃに束３０が挿入されている。
【０１３２】
このように構成された密閉型電池１においては、各スリット３７Ａ，３７Ｂ，３７Ｃを狭めるように、脚部３６Ａ，３６Ｂ，３６Ｃ，３６Ｄを変形させる際に必要な外力の大きさを小さく抑えることができる。
【０１３３】
これにより、台座本体４１上に形成された正極遮断機構５に与える影響を小さく抑えることができる。
【０１３４】
なお、係合突起７１の形状としては、各種の形状を採用することができる。
図２８は、係合突起７１の第１変形例を示す模式図である。この図２８に示す例においては、下端片７３Ａの下面は半円状に形成されている。
【０１３５】
図２９は、係合突起７１の第２変形例を示す模式図である。図２９に示す例においては、下端片７３Ｂの下面には、切欠部７５が形成されている。なお、この切欠部７５が形成されているので、係合突起７１がホルダ６０と係合した際に、切欠部７５が押し広げられるように変形する。その一方で、下端片７３Ｂには、押し広げられた切欠部７５の幅を狭めるように弾性力が生じる。その結果、下端片７３Ｂとホルダ６０との間に生じる面圧を大きくすることができ、係合突起７１をホルダ６０に良好に係合させることができる。
【実施例】
【０１３６】
実施例１に係る密閉型電池１と、比較例１，２に係る密閉型電池１Ａ，１Ｂとを比較した結果について説明する。
【０１３７】
実施例１に係る密閉型電池１は、上記実施の形態１に係る密閉型電池１と同じ構成である。
【０１３８】
比較例１に係る密閉型電池１Ａは、密閉型電池１のホルダ６０と、正極集電端子３と、負極集電端子４との構成以外は、同様の構成である。
【０１３９】
また、比較例１，２に係る密閉型電池１Ａ，１Ｂの製造工程は、第２組付工程Ｓ３以外の工程は、密閉型電池１の製造工程と同じである。
【０１４０】
具体的には、ホルダを正極集電端子に組み付ける工程と、ホルダを負極集電端子に組み付ける工程とが、密閉型電池１の製造工程と異なる。
【０１４１】
図３０は、比較例１に係る密閉型電池１Ａの正極集電端子１００と、ホルダ１０１とを示す分解斜視図である。
【０１４２】
正極集電端子１００は、台座部１１１と、台座部１１１の外周縁部に接続された複数の脚部１１０Ａ，１１０Ｂ，１１０Ｃ，１１０Ｄとを含む。
【０１４３】
台座部１１１には、台座部１１１の中央部に薄肉部１１３が形成されており、薄肉部１１３の周囲を取り囲むように、複数の貫通孔１１２Ａ，１１２Ｂ，１１２Ｃ，１１２Ｄが形成されている。
【０１４４】
脚部１１０Ａ，１１０Ｂ，１１０Ｃ，１１０Ｄは、互いに間隔をあけて配置されている。脚部１１０Ａと脚部１１０Ｂとの間にはスリット１１４Ａが形成されている。脚部１１０Ｂと、脚部１１０Ｃとの間には、スリット１１４Ｂが形成されている。脚部１１０Ｂと脚部１１０Ｃとの間には、スリット１１４Ｃが形成されている。
【０１４５】
ホルダ１０１は、ホルダ本体１２０と、ホルダ本体１２０の下面に形成された複数の突出部１２１Ａ，１２１Ｂ，１２１Ｃ，１２１Ｄとを含む。ホルダ本体１２０の中央部には、貫通孔１２０ａが形成されている。
【０１４６】
なお、負極集電端子と、負極集電端子上に配置されるホルダも、正極集電端子１００およびホルダ１０１と同様に形成されている。
【０１４７】
密閉型電池１Ａの製造工程の第２組付工程Ｓ３は、嵌合工程と、熱カシメ工程とを含む。
【０１４８】
嵌合工程においては、ホルダ１０１の突出部１２１Ａ，１２１Ｂ，１２１Ｃ，１２１Ｄを正極集電端子１００の貫通孔１１２Ａ，１１２Ｂ，１１２Ｃ，１１２Ｄに嵌め込む工程である。
【０１４９】
熱カシメ工程は、上記嵌合工程後に、正極集電端子１００に電流を流すと共に、各突出部１２１Ａ，１２１Ｂ，１２１Ｃ，１２１Ｄの下端部を変形させて、各突出部１２１Ａ，１２１Ｂ，１２１Ｃ，１２１Ｄの下端部にヘッド部を形成する。これにより、ホルダ１０１が正極集電端子１００に固定される。
【０１５０】
そして、集電箔挿入工程Ｓ７において、正極集電端子１００の各スリット１１４Ａ，１１４Ｂ，１１４Ｃに電極体９の束３０の先端部を挿入する。
【０１５１】
その後の変形工程Ｓ８において、各スリット１１４Ａ，１１４Ｂ，１１４Ｃの幅を狭めるように、正極集電端子１００に外力を加える。
【０１５２】
比較例１の密閉型電池１Ａの製造工程においては、正極集電端子１００に４００Ｎの外力を加えた。
【０１５３】
比較例２の密閉型電池１Ｂの製造工程においては、正極集電端子１００に５００Ｎの外力を加えた。
【０１５４】
そして、上記密閉型電池１の製造工程と同様に、溶接工程Ｓ９と、封缶工程Ｓ１０と、注入工程Ｓ１１とを順次実施して、密閉型電池１Ａ，１Ｂとを製造した。なお、各密閉型電池１，１Ａ，１Ｂをそれぞれ、１０個作成した。
【０１５５】
下記表１は、比較例１に係る密閉型電池１Ａと、比較例２に係る密閉型電池１Ｂと、実施例１に係る密閉型電池１とにおいて、遮断機構（ＣＩＤ）作動圧（評価１）と、端面集電溶接（評価２）と、判定とを示す表である。
【０１５６】
評価１（遮断機構（ＣＩＤ）作動圧）においては、各密閉型電池の遮断機構作動圧を測定した。そして、収容ケース２内の内圧が０．７Ｍｐａ以上０．８Ｍｐａ以下で作動した密閉型電池を良品であると評価した。
【０１５７】
評価２（端面集電溶接）においては、端面集電溶接（溶接部３２）の外観を光学顕微鏡で観察し、集電箔（正極未塗布部１８、負極未塗布部１９）がスリット（スリット３７Ａ，３７Ｂ，３７Ｃ）の両端に接合しておれば、良品であると評価した。
【０１５８】
【表１】
2018163844.tif 000003
【０１５９】
上記表１に示すように、比較例１に係る密閉型電池１Ａにおいては、遮断機構（ＣＩＤ）作動圧の評価（評価１）は、全て良品であった。
【０１６０】
その一方で、比較例１に係る密閉型電池１Ａにおいては、端面集電溶接に関する評価２においては、不良サンプルがあり、３つのサンプルにおいて、集電箔がスリットの両端に溶接されていなかった。その原因としては、集電端子の脚部の変形が十分でなく、スリット幅が大きく、集電箔を溶接できなったためと推測される。
【０１６１】
比較例２に係る密閉型電池１Ｂにおいては、一部のサンプルにおいて、ＣＩＤの動作圧が低くなった。集電端子の変形時に、集電端子の台座部および薄肉部への影響が大きく、ＣＩＤの作動圧が低くなったものと推測される。
【０１６２】
実施例１においては、全てのサンプルにおいて、ＣＩＤの作動圧に関する評価１および端面集電溶接に関する評価２について、良品であった。集電端子のスリットの長さが長くなることで、変形を容易にすることが可能となり、ＣＩＤ作動圧に影響を与えることを抑制することができたものと推測できる。さらに、集電端子のスリット幅を十分に狭めることができたことにより、集電箔を良好に溶接することができたものと推測できる。
【０１６３】
今回開示された実施の形態は全ての点で例示であって制限的なものではないと考えられるべきである。本開示の範囲は上記した説明ではなく特許請求の範囲によって示され、特許請求の範囲と均等の意味および範囲内での全ての変更が含まれることが意図される。
【符号の説明】
【０１６４】
１，１Ａ，１Ｂ  密閉型電池、２  収容ケース、３，４，１００  端子、５  正極遮断機構、６  負極遮断機構、７  正極外部端子、８  負極外部端子、９  電極体、１０  ケース本体、１１  蓋、１２，１３  筒部、１２ａ，１３ａ，２６ａ，２７ａ，６０ａ，６３ａ，１１２Ａ，１１２Ｂ，１１２Ｃ，１１２Ｄ，１２０ａ  貫通孔、１４  封止部材、１４ａ  注入口、１５  正極、１６  負極、１７  セパレータ、１８，１９  未塗布部、２０  上面、２１  底面、２２，２３  主側面、２４，２５  端側面、２６，２８  絶縁部材、２７，２９  金属板、３０，３１  束、３２，６４，８５  溶接部、３５，１１１  台座部、３６，３６Ａ，３６Ｂ，３６Ｃ，３６Ｄ，１１０Ａ，１１０Ｂ，１１０Ｃ，１１０Ｄ  脚部、３７Ａ，３７Ｂ，３７Ｃ，１１４Ａ，１１４Ｂ，１１４Ｃ  スリット、４０Ａ，４０Ｂ，４０Ｃ  長孔、４１  台座本体、４２，４２Ａ１，４２Ａ２，４２Ｂ，４２Ｃ１  ガイド部材、４３，１１３  薄肉部、４３ａ，６５ａ  凹部、４４Ａ１，４４Ａ３，４４Ｂ１，４４Ｃ１，４４Ｃ３  単位長孔、４４Ａ２，４４Ｂ２，４４Ｃ２  接続孔、４５Ｃ１，４６Ｃ１  単位ガイド部、４７Ａ１，４７Ａ２，４７Ｂ，４７Ｂ１，４７Ｃ２，４７Ｃ１  挿入孔、４８Ａ１，４８Ａ２，４８Ｂ，４８Ｃ１，４８Ｃ２  ガイド孔、５０，５２  平坦部、５１  突起部、５５Ａ，５５Ｂ，５５Ｃ，５５Ｄ  片部、５６，５６Ａ，５６Ｂ，５６Ｃ，５６Ｄ  長片、６０，８０，１０１  ホルダ、６１，８１  反転板、６２，８２  リベット、６３，８３  ガスケット、６５  土台、６６  軸、６７  ヘッド、７０，１２０  ホルダ本体、７１，７１Ａ，７１Ａ１，７１Ａ２，７１Ｂ，７１Ｃ２，７１Ｃ１，７１Ｃ  係合突起、７２  軸部、７３，７３Ａ，７３Ｂ  下端片、７４  係合爪、７５  切欠部、９１  正極合材層、９２  負極合材層、９５  レーザ光、１２１Ａ，１２１Ｂ，１２１Ｃ，１２１Ｄ  突出部、Ａ  電解液、Ｐ１，Ｐ２  外力、Ｓ１  第１組付工程、Ｓ２  反転板取付工程、Ｓ３  第２組付工程、Ｓ４  第３組付工程、Ｓ５，Ｓ９  溶接工程、Ｓ６  電極体形成工程、Ｓ７  箔挿入工程、Ｓ８  変形工程、Ｓ１０  封缶工程、Ｓ１１  注入工程。
【図１】
2018163844.tif 000004
【図２】
2018163844.tif 000005
【図３】
2018163844.tif 000006
【図４】
2018163844.tif 000007
【図５】
2018163844.tif 000008
【図６】
2018163844.tif 000009
【図７】
2018163844.tif 000010
【図８】
2018163844.tif 000011
【図９】
2018163844.tif 000012
【図１０】
2018163844.tif 000013
【図１１】
2018163844.tif 000014
【図１２】
2018163844.tif 000015
【図１３】
2018163844.tif 000016
【図１４】
2018163844.tif 000017
【図１５】
2018163844.tif 000018
【図１６】
2018163844.tif 000019
【図１７】
2018163844.tif 000020
【図１８】
2018163844.tif 000021
【図１９】
2018163844.tif 000022
【図２０】
2018163844.tif 000023
【図２１】
2018163844.tif 000024
【図２２】
2018163844.tif 000025
【図２３】
2018163844.tif 000026
【図２４】
2018163844.tif 000027
【図２５】
2018163844.tif 000028
【図２６】
2018163844.tif 000029
【図２７】
2018163844.tif 000030
【図２８】
2018163844.tif 000031
【図２９】
2018163844.tif 000032
【図３０】
2018163844.tif 000033